(57)【要約】【課題】  より一層の音響効果を発揮することが出来るようにすると共に、電池の消耗にも対処し得るような防犯ブザーを提供することを課題とする。【解決手段】  操作部が防犯ブザーのスイッチに係合されており、この操作部は引くまたは押す操作によって前記スイッチがＯＮ状態となるように設けられており、且つ笛部が防犯ブザーのケースに設けられている。或いは操作部が防犯ブザーのスイッチに係合されており、この操作部は引くまたは押す操作によって前記スイッチがＯＮ状態となるように設けられており、且つ前記操作部が笛であることを特徴とする。なお後者では笛がその吹き口の側から防犯ブザー内に挿着されているものとしたり、更に笛と前記スイッチとの間に防水性の隔壁が設けられており、この隔壁は笛と共に動作してスイッチをＯＮ／ＯＦＦするように設けられているものとすると良い。【選択図】図１
2007172563.tif 000002
【特許請求の範囲】
【請求項１】
操作部が防犯ブザーのスイッチに係合されており、この操作部は引くまたは押す操作によって前記スイッチがＯＮ状態となるように設けられており、且つ笛部が防犯ブザーのケースに設けられていることを特徴とする、笛付きの防犯ブザー。
【請求項２】
操作部が防犯ブザーのスイッチに係合されており、この操作部は引くまたは押す操作によって前記スイッチがＯＮ状態となるように設けられており、且つ前記操作部が笛であることを特徴とする、笛付きの防犯ブザー。
【請求項３】
前記笛がその吹き口の側から防犯ブザー内に挿着されている、請求項２に記載の笛付きの防犯ブザー。
【請求項４】
前記笛と前記スイッチとの間に防水性の隔壁が設けられており、この隔壁は笛と共に動作してスイッチをＯＮ／ＯＦＦするように設けられている、請求項３に記載の笛付きの防犯ブザー。
【請求項５】
前記笛に引き抜き補助手段が設けられている、請求項２に記載の笛付きの防犯ブザー。
【請求項６】
電池交換用の蓋部とブザーの音孔とが防犯ブザーのケースの一側に設けられており、他側は印刷やシールの貼り付けが出来るようなプレーンな状態となっている、請求項１または請求項２に記載の笛付きの防犯ブザー。
【発明の詳細な説明】
【技術分野】
【０００１】  この発明は防犯ブザーに係り、更に詳しくは防犯用及び防災用の笛を備えていることを特徴とする笛付きの防犯ブザーに関するものである。
【背景技術】
【０００２】  一般的に防犯ブザーは、ブザーとスイッチと電池とを直列に接続し、スイッチの接点間に挿着された絶縁性の引き抜き片が引き抜かれることによって接点が接触してスイッチがＯＮ状態となるように構成されているものが主流である。暴漢に襲われるなどの緊急時には前記引き抜き片を引き抜いてブザーを鳴らすようにする。より効果的な音響を発生させるために音響発振用の回路部を備えるものもある。【０００３】  特開２０００−２００３９４号の発煙機能付き防犯報知機は、警報音に加えて発煙機能も合わせて非常事態を周りに知らせたり助けを求めるものとし、且つ犯人の撃退効果に威力を発揮することが出来る防犯具とするために、警報ブザーを備えたケース内の一部に、水などの液体に反応する発煙物質を納めた発煙装置を備えたものである。非常時には前記ブザーはもとより煙の発生によって周囲に非常事態を知らせたり助けを求めることが出来ると言うものである。
【特許文献１】特開２０００−２００３９４号公報
【発明の開示】
【発明が解決しようとする課題】
【０００４】  上述したような従来のブザーによれば、確かに大音量を発生することで犯人を威嚇撃退したり周囲の者に異常事態の発生を報知することが出来る。しかしながら電池を駆動源としているために、電池が消耗しているとイザと言う時に使用出来ないと言う問題がある。また災害時などでブザー長時間ＯＮ状態にしておくと電池が切れてしまうと言う問題もある。これは上述した特開２０００−２００３９４号の発煙機能に付いても当てはまる課題であり、何れは煙の発生が止まってしまうのである。あるいは犯人の撃退効果を高めるためには、もう一段の音響効果を発揮出来るようにしておくことが望ましい。【０００５】  そこでこの発明は、上述したような種々問題点を解決して、より一層の音響効果を発揮出来ると共に、電池の消耗にも対処し得るような防犯ブザーを提供することを課題とするものである。
【課題を解決するための手段】
【０００６】  上記課題は、操作部が防犯ブザーのスイッチに係合されており、この操作部は引くまたは押す操作によって前記スイッチがＯＮ状態となるように設けられており、且つ笛部が防犯ブザーのケースに設けられていることを特徴とする、笛付きの防犯ブザーとすることにより達成される。【０００７】  防犯ブザーの部分に付いては、操作部が前記スイッチを操作することによってブザーのスイッチがＯＮ状態となりブザーから大音量が発生する。この技術の一例としては接点間に絶縁性の操作部が挿着されており、これが接点間から外れることにより弾発性の接点が接触してスイッチがＯＮ状態となるように構成されたものを上げることが出来る。操作部は引かれる（引き抜かれる構成のものを含む）ことにより前記接点間から外れるようにも或いは押されることによって外れるようにも設計することが可能である。またその何れでも動作するように構成することが可能である。引かれることで外れる構成では、紐や吊り下げ具を操作部に取り付けてこれを以て引き具とすると使い勝手が良いものとなる。また押されることで外れる構成の場合には掌で叩きやすい構造とすると都合が良い。【０００８】  この防犯ブザーのケースには笛部が設けられている。従ってこの笛を吹くことによって大音量の笛の音を発生させることが出来る。防犯ブザーのブザー音と共に笛の音を発生させると、犯人の威嚇撃退効果や異常事態の発生報知をより一層効果的に行なうことが出来るわけである。なお用いる笛の材質や種類や形状などは任意である。２以上の異なる音色が出せるような笛を用いても良い。【０００９】  また上記課題は、操作部が防犯ブザーのスイッチに係合されており、この操作部は引くまたは押す操作によって前記スイッチがＯＮ状態となるように設けられており、且つ前記操作部が笛であることを特徴とする、笛付きの防犯ブザーとすることで達成される。【００１０】  操作部すなわち笛を引くまたは押すことで、笛が前記スイッチを操作することによってブザーのスイッチがＯＮ状態となりブザーから大音量が発生する。例えば接点間に絶縁性の笛を挿着しておき、笛が接点間から外れることによって接点が接触してスイッチがＯＮ状態となるように構成すれば良い。笛は引かれる（引き抜かれる構成のものを含む）ことにより前記接点間から外れるタイプのものと、押されることによって外れるタイプのものとがある。また引いても押しても同様にスイッチがＯＮ状態となるように構成することが可能である。【００１１】  このようにしてブザーを鳴らしつつ笛を吹くことが出来る。引かれるタイプのものの内笛を引き抜くタイプのものでは、このようにして引き抜いた笛を口にくわえて笛を吹き、大音量の笛の音を発生させることが出来る。【００１２】  なお請求項２の発明に付いて、前記笛がその吹き口の側から防犯ブサー内に挿着されているものとすることが出来る。このようなタイプのものでは笛が引き抜かれることで前記スイッチがＯＮ状態となるように構成されていなくてはならない。この構成によれば笛の吹き口が外に露出していないために汚染されることがなく、いざ吹く際に吹き口が衛生的であると言う効果がある。【００１３】  なおさらに、前記笛と前記スイッチとの間に防水��の隔壁が設けられており、この隔壁は笛と共に動作してスイッチをＯＮ／ＯＦＦするように設けられているものとすることが出来る。この構成によれば一度吹いて唾液に塗れた吹き口が防犯ブザー内に挿着されたような場合でも、防水性の隔壁によって唾液がスイッチなどの内部部品を汚すことがないと言う効果を奏する。唾液はスイッチの接点をショートさせたり、内部部品を錆びさせるなどの悪作用があるから、このように構成することは好ましいことである。【００１４】  次に請求項２の発明に付いて、前記笛に引き抜き補助手段が設けられているものとすることが出来る。このようなタイプのものでは笛が引き抜かれることで前記スイッチがＯＮ状態となるように構成されていなくてはならない。引き抜き補助手段としては、紐や指を掛けるための鍔部を上げることが出来る。このような構成によって笛を瞬時に引き抜くことが出来るようになると言う効果を奏する。【００１５】  次に請求項１または請求項２の発明に関し、電池交換用の蓋部とブザーの音孔とが防犯ブザーのケースの一側に設けられており、他側は印刷やシールの貼り付けが出来るようなプレーンな状態となっているものとすることが出来る。この発明の笛付きの防犯ブザーをアクセサリー的に構成する場合、キャラクターの図柄を印刷したりシールを貼り付けたりしたいのであるが、電池交換用の蓋部やブザーの音孔はこの妨げになるために、これ等をケースの一側に寄せてしまうのである。
【発明の効果】
【００１６】  この発明によれば、笛を備えることでより一層の音響効果を発揮出来ると共に、電池の消耗にも対処し得るような防犯ブザーを提供することに成功している。また操作部が笛であって笛を引き抜くタイプのもので、笛とスイッチとの間に防水性の隔壁を設けたものでは、笛を吹き口の側から防犯ブザー内に挿着した際に、吹き口に付いた唾液でスイッチの接点などの内部部品を汚すことがない。同様に笛に引き抜き補助手段が設けられているものでは笛を瞬時に引き抜くことが出来て、緊急時の対応性が良好である。またこの発明で電池交換用の蓋部とフザーの音孔とが防犯ブザーのケースの一側に設けられており、他側がプレーンな状態となっているものでは、電池交換用の蓋部やブザーの音孔の邪魔になることなくキャラクターのシールを貼り付けたりすることが出来ると言う効果を奏する。
【発明を実施するための最良の形態】
【００１７】  以下ではこの発明の３種の実施形態に付き図面を参照しながら説明するが、この発明はこれ等の実施形態にのみ限定されるものではなく、この発明の思想の範囲に於いて自由にバリエーションを与えることが可能である。【００１８】  第１実施形態
図１乃至図３はこの発明の第１実施形態の笛付き防犯ブザーを表わす。この実施形態の特徴は防犯ブザー１の挿着口に挿着された押し込み片２を押し込むことでスイッチがＯＮ状態となることである。防犯ブザー１には笛部３がその吹き口３０を外側にして突設されている。この笛部３とは反対側に設けられている挿着口（図示せず）には押し込み片２が挿着されている。なおこの押し込み片２には吊り下げ用の紐や鎖を取り付けるための掛止孔２０が開孔されている。この防犯ブザー１の内部構造を模式的に表わしたものが図３であるが、ブザー回路４にはスイッチである２片の弾発性の接点４０，４１が接触するように設けられており、この２片の接点４０，４１の間に絶縁性を有する前記押し込み片２が挿着されることでスイッチがＯＦＦ状態となるように構成されている。この押し込み片２は掛止孔２０の他にも接点窓２１が開孔されており、この部位では２片の接点４０，４１は接触するようになっている。なおブザー回路４は図示しない圧電ブザーを含み、ブザー回路４には電池４２が接続されている。【００１９】  図３で示した状態は絶縁性を有する押し込み片２が２片の接点４０，４１の間にあってスイッチはＯＦＦ状態となっているが、ここで矢線の方向に押し込み片２を押し込むと、押し込み片２の接点窓２１が接点４０，４１の位置に移動するため、接点窓２１を通して接点４０，４１が接触してスイッチがＯＮ状態となり、ブザー回路４が働いて圧電ブザーから大音量が発生される。この逆に押し込み片２を引くと接点４０，４１が分かれてスイッチがＯＦＦ状態となる。図２はこの笛付きの防犯ブザーの背面図であるが、ここに設けられた音孔１３からこの大音量が発せられることになる。なおこの笛付きの防犯ブザーの背面には前記音孔１３以外にも電池蓋１２が設けられている。従って図１で表わされているこの笛付きの防犯ブザーの正面にはシール１０を貼り付けることが出来る。シール１０は音孔１３を塞いだり電池蓋１２を覆ってしまうようなことがない。【００２０】  ところでこの実施形態の笛付き防犯ブザーには笛部３が形成されている。この笛部３の吹き口３０は外側に露出しているため、ここを口に喰わえて笛を吹くことが出来る。なおこの実施形態では前記押し込み片２を押し込むことで防犯ブザーが鳴るように構成しているが、これを引っ張り片として引くことでスイッチがＯＮとなるように構成することも、またこれを引き抜き片として防犯ブザー１から引き抜くことでスイッチがＯＮとなるように構成することも可能である。【００２１】  第２実施形態
図４及び図５はこの発明の第２実施形態の笛付き防犯ブサーを表わす。この実施形態の特徴は防犯ブザー１の挿着口１６に挿着された笛部５を引き抜くことによってスイッチがＯＮ状態となることである。すなわち笛部５は吹き口５０とこれとは反対側の側面に設けられている案内溝５１とから構成されている（図４）。このような笛部５が防犯ブザー１の挿着口１６に挿着されている状態は図５の回路模式図で表わされている。ブザー回路４（図示しない圧電ブザーを含む）にはスイッチである２片の接点４０，４１が接触するように設けられており、この２片の接点４０，４１の間に絶縁性を有する前記笛部５がその案内溝５１の部位を以て挿着されることでスイッチがＯＦＦ状態となるように構成されている。なお前記挿着口１６の反対側には吊り下げ片１４が設けられており、またこれには吊り下げ用の紐や鎖を取り付けるための掛止孔１５が開孔されている。【００２２】  図５で示した状態は絶縁性の笛部５が２片の接点４０，４１の間にあるためにスイッチはＯＦＦ状態となっているが、笛部５を防犯ブザー１の挿着口１６から矢線の方向に引き抜くことによって、２片の接点４０，４１が接触してスイッチがＯＮ状態となり、ブザー回路４が働いて圧電ブザーから大音量が発生するのである。なお次に笛部５を挿着口１６に挿着するようにすると、笛部５が２片の接点４０，４１を押し広げて離すように作用するため、スイッチはＯＦＦ状態となる。【００２３】  笛部５を防犯ブザー１から引き抜いたことにより、笛部５は自由になって口に喰わえて吹くことが可能である。こうして圧電ブザーからの大音量と笛の音との相乗効果を得ることが出来るのである。なお笛部５を引き抜くのではなく引くだけでスイッチがＯＮとなるように構成することも、笛部５を押し込むことでスイッチがＯＮとなるように構成することも可能である。これ等の場合には笛部５は防犯ブザー１から分離しないため、このまま笛部５喰わえて笛を吹くようにするのである。【００２４】  第３実施形態
図６はこの発明の第３実施形態の笛付き防犯ブザーの説明図である。この防犯ブザーのケース７の中には挿着筒７０が形成されており、挿着筒７０の入口と中程に掛止突起７１及び７２が形成されている。この掛止突起７２が設けられている部位よりも奥方に２片の接点４０，４１が配設されている。またこの挿着筒７０の中には挿着筒７０の奥方に向けて引き抜き片６２が突設された笛カバー６が挿着されている。引き抜き片６２と笛カバー６との間の笛カバー６の外周部には掛止突起６１が形成されており、これが前記掛止突起７１，７２の間に位置するようにして笛カバー６が挿着筒７０に挿着されている。従って笛カバー６が矢線の方向に引かれて前記掛止突起６１が掛止突起７１に当ることで、これ以上の引き出しが阻止されると共に、前記引き抜き片６２が接点４０，４１から外れて、２片の接点４０，４１が接触してスイッチがＯＮ状態となるように構成されている。これとは逆に笛カバー６が押し込まれると、前記引き抜き片６２が接点４０，４１の間に割り込んで両者を押し広げて離すように作用するためスイッチはＯＦＦ状態となる。この際に前記掛止突起６１が前記掛止突起７２に当たるとこれ以上の押し込みが出来なくなるように構成されている。【００２５】  一方で笛５の吹き口５０側の外周部には山越え５２が形成されており、これが笛カバー６の口側の内周部に形成された山越え６０を押し退けるようにして、吹き口５０の側から笛カバー６の中に納められる。またこの際には上述したように笛カバー６を押し込むように作用する。この逆に笛５を引き出そうとすると前記山越え５２が前記山越え６０を引いて上述したように笛カバー６が引き出されて来るのであるが、笛カバー６の掛止突起６１が掛止突起７１に当るとこれ以上は引き出されず、さらに笛５を引くと前記山越え５２が前記山越え６０を押し退けるようにして、笛５が防犯ブザーのケース７から引き抜かれるように構成されている。この構成から了解されるように笛５はその吹き口５０が笛カバー６に納められるため、吹き口５０が衛生的であると共に、吹かれて唾液が溜まったような状態の笛５が押し込まれても、唾液によって挿着筒７０の中を汚すようなことが起こらないと言う効果を奏するのである。なお笛５は引き出しが瞬時に行ない得るように、吹き口５０とは反対側の端部に、人指し指と中指とが掛けられるような指掛け具５３が設けられている。【００２６】  なお上述した笛カバー６は腰があるケースであるが、この代わりにビニールなどの柔軟なシート状体から成る袋を笛５の吹き口５０のカバーとして設けるようにすることが可能である。吹き口５０がこのような袋に挿着されて袋に腰を与えて、接点４０，４１を押し広げて離すようにするのである。この逆に袋から吹き口５０が引き抜かれると袋が縮み、袋から離れた部位に設けた接点４０，４１が接触するように構成するのである。
【産業上の利用可能性】
【００２７】  さてこの発明は笛付きの防犯ブザーに係るものであるが、更にライトを設けて発光させるように構成することが可能である。【００２８】  なおブザー音の代わりにメロディーを大音量で発生させるようなメロディーＩＣ（Ｉｎｔｅｇｒａｔｅｄ  Ｃｉｒｃｕｉｔ）を組み込むようにすることが可能である。或いは合成音声で「助けて」等と発声するように構成することも可能である。
【図面の簡単な説明】
【００２９】
【図１】  第１実施形態の正面図である。
【図２】  同実施形態の背面図である。
【図３】  同実施形態の回路を表わす模式図である。
【図４】  第２実施形態の説明図である。
【図５】  同実施形態の回路を表わす模式図である。
【図６】  第３実施形態の説明図である。
【符号の説明】
【００３０】  １    防犯ブザー
１０  シール
１２  電池蓋
１３  音孔
１４  吊り下げ片
１５  掛止孔
１６  挿着口
２    押し込み片
２０  掛止孔
２１  接点窓
３    笛部
３０  吹き口
４    ブザー回路
４０  接点
４１  接点
４２  電池
５    笛部
５０  吹き口
５１  案内溝
５２  山越え
５３  指掛け具
６    笛カバー
６０  山越え
６１  掛止突起
６２  引き抜き片
７    ケース
７０  挿着筒
７１  掛止突起
７２  掛止突起
【図１】
2007172563.tif 000003
【図２】
2007172563.tif 000004
【図３】
2007172563.tif 000005
【図４】
2007172563.tif 000006
【図５】
2007172563.tif 000007
【図６】
2007172563.tif 000008